(57)【要約】本発明は、記憶層及び読み出し層を有する光磁気記録媒体からの読み取り動作中に、放射線パワー及び／又は磁界強度を制御する方法、装置及び記録担体に関する。読み取り信号におけるパルスを生じる拡大された磁区は、前記放射線パワーにより及び外部磁界を印加することにより加熱して前記記憶層から前記読み出し層にマーク領域をコピーすることにより前記読み出し層において生成される。前記読み取り信号におけるパルスパターンが解析される。前記解析結果は、前記記憶層に記憶されたデータのランレングス特性と比較される。前記放射線パワー及び／又は前記磁界強度は、比較結果に基づいて制御される。従って、ユーザデータはこの目的のために使用されることができるので、大幅に少ないディスク容量が放射線パワー及び／又は磁界較正のために残されなければならないか、又は全く残されなくてもよい。
2005502976.tif 000002
【特許請求の範囲】
【請求項１】
記憶層及び読み出し層を有する光磁気記録媒体からの読み取り動作中に放射線パワーを制御する方法であり、読み取り信号におけるパルスを生じる拡大された磁区が、前記放射線パワーにより加熱して前記記憶層から前記読み出し層にマーク領域をコピーすることにより前記読み出し層において生成される方法であって、
前記読み取り信号におけるパルスパターンを解析する解析ステップと、
前記解析ステップの結果を前記記憶層に記憶されたデータのランレングス特性と比較するステップと、
比較結果に基づいて前記放射線パワーを制御する制御ステップと、
を有する方法。
【請求項２】
記憶層及び読み出し層を有する光磁気記録媒体からの読み取り動作中に印加された外部磁界を制御する方法であり、読み取り信号におけるパルスを生じる拡大された磁区が、放射線パワーにより加熱して前記記憶層から前記読み出し層にマーク領域をコピーすることにより前記読み出し層において生成される方法であって、前記外部磁界を印加する場合に、
前記読み取り信号におけるパルスパターンを解析する解析ステップと、
前記解析ステップの結果を前記記憶層に記憶されたデータのランレングス特性と比較するステップと、
比較結果に基づいて前記外部磁界の強度を制御する制御ステップと、
を有する方法。
【請求項３】
コピーウィンドウサイズが、前記比較するステップにおいて決定され、これに基づいて前記制御ステップに対する制御信号が生成される、請求項１又は２に記載の方法。
【請求項４】
前記コピーウィンドウサイズが、ランレングス違反の検出に基づいて決定される、請求項３に記載の方法。
【請求項５】
前記ランレングス違反が、パルスカウント機能又はタイマー機能により決定される、請求項４に記載の方法。
【請求項６】
前記決定されたコピーウィンドウサイズが、前記読み取り信号におけるエラーを補正するために使用される、請求項３ないし５の何れか一項に記載の方法。
【請求項７】
前記パルスパターンが、前記記録媒体に記録されたユーザデータに対応する、請求項１ないし６の何れか一項に記載の方法。
【請求項８】
前記パルスパターンが、前記記録媒体上の所定のマーク及びスペース・ランレングスを持つテストパターンに対応する、請求項１ないし７の何れか一項に記載の方法。
【請求項９】
前記比較するステップが、コピーウィンドウサイズを前記パルスパターンにおける対応する数の間違ったピーク又は見つからないピークに関連付けるルックアップテーブルに基づいて実行される、請求項１ないし８の何れか一項に記載の方法。
【請求項１０】
前記制御ステップが、前記放射線パワーを制御するために第１制御信号を出力し、前記磁界の強度を制御するために第２の制御信号を出力するステップを有する、請求項１ないし９の何れか一項に記載の方法。
【請求項１１】
前記制御ステップにおいて使用するために前記記録媒体から制御情報を読み取るステップをも有する、請求項１ないし１０の何れか一項に記載の方法。
【請求項１２】
前記制御情報が、コピーウィンドウサイズと前記放射線パワーとの間の媒体に関する特性を規定する、請求項１１に記載の方法。
【請求項１３】
記憶層及び読み出し層を有する光磁気記録媒体からの読み取り動作中に放射線パワーを制御する読み取り装置であり、読み取り信号におけるパルスを生じる拡大された磁区が、前記放射線パワーにより加熱して前記記憶層から前記読み出し層にマーク領域をコピーすることにより前記読み出し層において生成される装置であって、
前記読み取り信号におけるパルスパターンを解析する解析手段と、
前記解析手段による前記解析の結果を前記記憶層に記憶されたデータのランレングス特性と比較する比較手段と、
比較結果に基づいて前記放射線パワーを制御するパワー制御手段と、
を有する装置。
【請求項１４】
記憶層及び読み出し層を有する光磁気記録媒体からの読み取り動作中に印加された外部磁界を制御する読み取り装置であり、読み取り信号におけるパルスを生じる拡大された磁区が、放射線パワーにより加熱して前記記憶層から前記読み出し層にマーク領域をコピーすることにより前記読み出し層において生成される装置であって、前記外部磁界を印加する場合に、
前記読み取り信号におけるパルスパターンを解析する解析手段と、
前記解析手段による前記解析の結果を前記記憶層に記憶されたデータのランレングス特性と比較する比較手段と、
比較結果に基づいて前記磁界の強度を制御する磁界制御手段と、
を有する装置。
【請求項１５】
前記パルスパターンにおける間違った又は見つからないパルスとコピーウィンドウサイズとの間の関係を規定する情報を記憶する記憶手段をも有する、請求項１３又は１４に記載の読み取り装置。
【請求項１６】
前記読み取り装置が、ＭＡＭＭＯＳディスク用のディスクプレイヤである、請求項１３ないし１５の何れか一項に記載の装置。
【請求項１７】
記憶層及び読み出し層を有する光磁気記録担体であって、拡大された磁区が、放射線パワーにより加熱して前記記憶層から前記読み出し層にマーク領域をコピーすることにより前記読み出し層において生成され、外部磁界を印加する場合に、読み取り動作中に前記磁界及び／又は前記放射線パワーの制御において使用するための制御情報を有する記録担体。
【請求項１８】
前記制御情報が、コピーウィンドウサイズと前記放射線パワーとの間の媒体に関する特性を規定する、請求項１７に記載の記録担体。
【請求項１９】
記憶層及び読み出し層を有する光磁気記録担体であって、拡大された磁区が、放射線パワーにより加熱して前記記憶層から前記読み出し層にマーク領域をコピーすることにより前記読み出し層において生成され、外部磁界を印加する場合に、読み取り動作中に前記磁界及び／又は前記放射線パワーの制御において使用するために所定のランレングス特性を持つテストパターンを有する記録担体。
【請求項２０】
前記記録担体が、ＭＡＭＭＯＳディスクである、請求項１７ないし１９の何れか一項に記載の記録担体。
【発明の詳細な説明】
【技術分野】
【０００１】
本発明は、ＭＡＭＭＯＳ（Magnetic Amplifying Magneto-Optical System）ディスクのような、記録又は記憶層及び拡大又は読み出し層を有する光磁気記録媒体の読み取り中に放射線パワー及び／又は磁界強度を制御する方法及び装置に関する。本発明は、本発明の方法により及び装置において使用する光磁気記録媒体にも関する。
【背景技術】
【０００２】
光磁気記憶システムにおいて、記録されたマークの最小幅は、回折限界により、即ち、集束レンズの開口数（ＮＡ）により及び放射波長により決定される。従って、この幅の減少は、一般に、より短い波長の放射線及び／又はより高いＮＡ集束レンズに基づく。光磁気記録中に、最小ビット長は、レーザパルス磁界変調（ＬＰ−ＭＦＭ）を使用することにより光学的回折限界より短く減少されることができる。ＬＰ−ＭＦＭにおいて、ビット遷移は、例えばレーザのような放射線源のスイッチングにより引き起こされる磁界及び温度勾配のスイッチングにより決定される。この態様において記録された小さな三日月形のマークの読み出しのために、磁気超解像（ＭＳＲ）又は磁区拡大（ＤｏｍＥｘ）法が使用されなければならない。これらの技術は、幾つかの静磁又は交換結合ＲＥ−ＴＭ層を持つ記録媒体に基づく。ＭＳＲによると、光磁気ディスク上の読み出し層は、読み取り中に隣接したビットをマスクするように構成されるが、磁区拡大法によると、スポットの中心における磁区が拡大される。磁区拡大技術のＭＳＲに優る利点のため、回折限界より短い長さを持つビットは、回折限界スポットと同等なサイズを持つビットと同様な信号対雑音比（ＳＮＲ）を用いて検出されることができる。ＭＡＭＭＯＳは、静磁結合記憶及び読み出し層に基づく磁区拡大法であり、ここで、磁界変調が、前記読み出し層における磁区の拡大及び拡大された磁区の崩壊のために使用される。
【０００３】
ＭＡＭＭＯＳのような上述の磁区拡大技術において、前記記憶層からの書込まれたマークは、放射線ビームにより、及び外部磁界を印加することによりレーザ加熱されるとすぐに前記読み出し層にコピーされる。この読み出し層の低い保磁力のために、前記コピーされたマークは、光学的スポットの領域を満たすように拡大されるだろうし、前記マークの大きさに依存しない飽和信号レベルで検出されることができる。前記外部磁界の反転は、前記拡大された領域を崩壊させる。他方では、前記記憶層におけるスペースは、コピーされないであろうし、拡大は起こらない。
【０００４】
前記ＭＡＭＭＯＳ読み出し処理の解像度、即ち、隣接するビットからの干渉無しで再生されることができる最小ビットサイズは、前記コピー処理の空間的範囲（コピーウィンドウ）により制限され、前記空間的範囲は、温度によって誘発される保磁力プロファイルと、前記外部磁界の強度に依存するビットパターンの漂遊磁界プロファイルとの重複により決定される。前記読み出し処理において使用される放射線パワーは、コピーを可能にするのに十分高くあるべきである。他方では、より高い放射線パワーは、温度の増加によって前記保磁力Hcが減少し、前記漂遊磁界が増加する事実のため、前記重複も増加する。この重複が大きくなりすぎる場合、間違った信号が隣接するマークにより生成されるので、スペースの正しい読み出しは、もはや可能ではない。最大の可能な放射線パワーと最小の可能な放射線パワーとの間の差は、パワーマージンを決定する。このパワーマージンは、ビット長の減少によって強く減少する。実験は、現在の読み出し方法を用いて、０．１０μｍのビット長が、極度に小さいパワーマージン（１６ビットのデジタル／アナログ変換器の１ビットの範囲において）において正しく検出されることができることを示した。この故に、前記放射線パワーと前記外部磁界の強度との良いバランスは、最適な動作条件を選択する場合に重要な要素である。
【０００５】
しかしながら、たとえ最適な条件が、読み取り動作の初期段階の間に設定されているとしても、初期バランスは、環境の変化によって読み取り中に妨げられるかもしれない。これらの環境の変化は、フィールドブラー（field  blurring）、ディスクの傾き、温度変化、前記ディスクの保護膜の厚さの非一様性、及び磁気ヘッド上のスライダ移動（slider movement）の影響を有する。従って、読み出し中に前記放射線パワー及び前記磁界強度を制御することは、必須である。
【０００６】
日本特許公開公報2000-215537は、前記放射線パワー及び／又は前記外部磁界の磁界強度を制御する方法及び装置を開示する。日本特許公開公報2000-215537内に開示された前記方法において、前記ディスク上の定められたセクションを規定する情報と、定められたパルス数を規定するパルス情報とは、前記ディスク上の特定の領域から読み取られる。次に、前記定められたセクションから読み取られる情報に含まれる前記パルスの数がカウントされ、前記定められたパルス数と比較される。前記比較結果に基づき、前記放射線パワー又は前記磁界強度が調整される。しかしながら、この解法は、特定の定められた領域における特定の前もって記録された情報を持つ特定のタイプの記録を必要とする。更に、前記制御は、所定数のパルス（即ちマーク）を用いて前記定められた領域に対してのみ実行されることができる。
【発明の開示】
【発明が解決しようとする課題】
【０００７】
本発明の目的は、読み出し処理全体の間に調整を可能にする向上されたパワー及び／又は磁界制御を提供する方法、装置、及び記録担体を提供することである。
【課題を解決するための手段】
【０００８】
この目的は、請求項１又は２に記載の方法により、請求項１３又は１４に記載の装置により、及び請求項１７又は１９に記載の記録担体により達成される。
【０００９】
従って、例えば、過度のコピーウィンドウサイズに帰着する、外部磁界と放射線パワーとの間の間違ったバランスの評価に対するランレングス特性の使用は、通常のユーザデータのコーディングのランレングスの制約が既知である限り、前記放射線パワー及び／又は前記磁界強度制御が、記録媒体に記録された前記通常のユーザデータに基づいて実行されることができるという利点を提供する。従って、連続的な制御機能は、修正された又は特別に前もって記録された記録媒体を必要とせずに設けられる。更に、本発明による前記制御は、いわゆる“実行中の制御（running control）”であるという付加的な利点を持ち、即ち、前記放射線パワー及び／又は前記磁界強度制御は、前記ユーザデータを読み取る間に前記ユーザデータの読み取りを中断しないであろう別々の制御ステップを実行する必要なく実行される。
【００１０】
有利な実施例によると、コピーウィンドウサイズは、前記比較ステップにおいて決定され、これに基づいて前記制御ステップに対する制御信号が生成される。前記コピーウィンドウサイズは、パルスカウント機能又はタイマー機能により決定され得るランレングス違反（run length violation）の検出に基づいて決定される。前記決定されたコピーウィンドウサイズは、この場合、前記読み取り信号におけるエラーを補正するために使用され得る。
【００１１】
好ましくは、前記パルスパターンは、前記記録媒体上に記録された前記ユーザデータに対応する。代案として、前記パルスパターンは、前記記録媒体上に記録された所定のマーク及びスペース・ランレングスを持つテストパターンに対応する。
【００１２】
更に他の実施例によると、前記比較ステップは、前記コピーウィンドウサイズを前記パルスパターンにおける間違ったピーク又は見つからないピークの対応する数に関連付けるルックアップテーブルに基づいて実行される。
【００１３】
更に他の実施例によると、前記制御ステップは、放射線パワー制御による粗調整に対する第１の制御信号と、磁界強度制御による微調整に対する第２の制御信号とを有する。
【００１４】
更に他の実施例によると、前記制御ステップにおいて使用される制御情報は、前記記録媒体上に提供される。この制御情報は、コピーウィンドウサイズと放射線パワーデータとの間の媒体に関する特性を規定する。
【００１５】
他の有利な実施例は、従属請求項において規定される。
【００１６】
本発明は、以後、好ましい実施例に基づき、添付図面を参照して記述されるだろう。
【発明を実施するための最良の形態】
【００１７】
好ましい実施例は、ここで、図１に示されるようなＭＡＭＭＯＳディスクプレイヤに基づいて記述されるだろう。
【００１８】
図１は、好ましい実施例によるディスクプレイヤの構成を概略的に示す。前記ディスクプレイヤは、レーザ光放射線ビームにより、光磁気ディスクのような光磁気記録媒体10を照射する、例えばレーザダイオードのようなレーザ光源を有する放射セクションを持つ光ピックアップユニット30を有する。前記レーザ光は、記録中に、コードデータと同期した周期を持つパルスに変換されている。前記ディスクプレイヤは、光磁気ディスク10に記録及び再生する時に、制御された仕方において、磁界を印加する磁気ヘッド12を有する磁界印加セクションをも有する。光ピックアップユニット30において、前記レーザ光源は、記録／読み出しパルス調整ユニット32から記録及び読み出しパルスを受信し、これにより記録及び／又は読み出し動作中に光ピックアップユニット30における前記レーザのパルス振幅及びタイミングを制御するレーザ駆動回路に接続される。記録／読み出しパルス調整回路32は、ＰＬＬ（フェーズ・ロック・ループ）回路を有しうるクロック生成器26からクロック信号を受信する。
【００１９】
図１において、単純にするため、磁気ヘッド12及び光ピックアップユニット30は、ディスク10の反対側に示される。しかしながら、前記好ましい実施例によると、これらは、好ましくは、ディスク10の同じ側に配置されるべきである。
【００２０】
磁気ヘッド12は、ヘッドドライバユニット14に接続される。磁気ヘッド12は、記録時に、コード変換されたデータを変調器24から位相調整回路18を介して受信する。変調器24は、入力記録データ101を定められたコードに変換する。
【００２１】
再生時に、ヘッドドライバ14は、クロック信号を再生調整回路20を介してクロック生成器26から受信する。再生調整回路20は、磁気ヘッド12に印加されるパルスのタイミング及び振幅を調整するために同期信号を生成する。記録／再生スイッチ16は、記録時に及び再生時にヘッドドライバ14に印加されるべきそれぞれの信号をスイッチ又は選択するために設けられる。
【００２２】
光ピックアップユニット30は、ディスク10から反射されるレーザ光を検出し、対応する読み取り信号を生成する検出器をも有する。この読み取り信号は、前記読み取り信号をデコードし、出力データ102を生成するようにされたデコーダに印加される。光ピックアップユニット30により生成される前記読み取り信号は、ディスク10上のエンボス加工されたクロックマークを読み取ることから得られるクロック信号が抽出されるクロック生成器26にも印加される。このクロック信号は、同期の目的のために、記録パルス調整回路32と、再生調整回路20と、変調器24とに印加される。特に、データチャネルクロックは、クロック生成器26の前記ＰＬＬ回路において生成され得る。
【００２３】
データ記録中に、光ピックアップユニット30における前記レーザ光源は、前記データチャネルクロックの周期に対応する固定された周波数を用いて変調される。この態様において、回転するディスク10上のデータ記録領域（即ち、光学的スポット）は、等距離において局所的に加熱される。更に、クロック生成器26による前記データチャネルクロック出力は、変調器24を制御し、標準クロック周期を持つデータ信号を生成する。記録データ101は、前記記録データの情報に対応するバイナリ・ランレングス情報を得るために変調器24により変調及びコード変換される。
【００２４】
光磁気記録媒体10の構造は、例えば、日本特許公開公報2000-260079において記述される構造と対応してもよい。
【００２５】
（例えば、高すぎる放射線パワーにより引き起こされる）大きな重複による間違った信号の発生は、通常、避けられるべきである。しかしながら、前記記憶層内の正しいデータが既知であるか、又は前記データ上のコーディングの制約から導き出されることができる場合、間違ったピークの発生及び数は、再び熱的なレーザプロファイルに関係するコピーウィンドウの空間的な幅についての直接の情報を与える。この情報は、前記ディスク上の前の及び／又は後のデータを補正するだけでなく、前記放射線パワー及び／又は前記外部磁界の磁界強度を補正する直接の方法を提供するためにも使用されることができる。
【００２６】
図１に示される前記実施例において、制御ユニット25も、ヘッドドライバ14及び／又は光ピックアップ30に制御信号38, 39を印加するために設けられる。前記ヘッドドライバに印加される制御信号39は、前記磁界強度、即ち前記外部磁界の強度を調整するように、前記磁気ヘッドに設けられたコイル構成の界磁電流を調整するために使用されることができる。光ピックアップユニット30に印加される制御信号38は、ディスク10を加熱するために使用される前記放射線パワーを調整するように、レーザ光源、又はその他の放射線源に対する駆動電流を調整するために使用されることができる。２つの制御信号38, 39は、別々に、又は代案として、組み合わされた制御信号として供給され得る。後者の場合には、ヘッドドライバ14に印加される制御信号39は、前記放射線パワーと前記磁界強度との間のバランスの微調整のために使用され得るのに対し、光ピックアップユニット30に印加される制御信号38は、粗調整のために使用され得る。これは、光学的パワーにおける変化が、前記漂遊磁界及び前記保磁力プロファイルの両方に影響を与えるのに対し、前記外部磁界における変化は、全体の漂遊磁界のみに影響を与えるという事実のためである。
【００２７】
制御ユニット25は、デコーダ28から得られる読み出しデータの解析の結果を、不揮発性メモリに記憶された基準データ、例えば、ルックアップテーブル23と比較する比較ユニット22の比較結果を受信する。前記解析は、デコーダ28から前記読み出しデータを受信する解析ユニット21により実行される。
【００２８】
図２は、異なる段階の重複を持つ読み出しストラテジの信号図を示す。上のグラフは、ディスク10のトラック上の磁化された領域の空間的配置を概略的に示す。一例として、I1マークにより分離された様々なスペース・ランレングス（-I1, -I2, -I3, -I4）を有するディスクが示される。スペースは、下向きの磁化（下向きの矢印50により示される）に対応し、マークは、上向きの磁化（上向きの矢印51により示される）に対応する。表現“-In”はｎチャネルビットに対応する持続期間を持つスペース・ランレングスを示し、表現“In”は、ｎチャネルビットに対応する持続期間を持つマーク・ランレングスを示す。
【００２９】
異なるコピーウィンドウサイズw1, w2及びw3を用いる走査の結果として生じる重複61, 62, 63の時間依存性が、上から２番目のグラフに示される。重複61はコピーウィンドウサイズw1に対応するのに対し、重複62はコピーウィンドウサイズw2に対応し、重複63はコピーウィンドウサイズw3に対応する。
【００３０】
図２における下側のグラフは、外部磁界70が印加される場合に結果として生成されるＭＡＭＭＯＳ信号を示す。実線により示されるＭＡＭＭＯＳピーク75は、コピーウィンドウサイズw1を持つ設定から結果として生じる。点線により示される付加的なピーク76は、コピーウィンドウサイズw2を用いる設定が使用される場合に生じる。
【００３１】
従来のシステムにおいては、前記コピーウィンドウサイズは、正しい読み出しのために、図２においてコピーウィンドウサイズw1に適用したように、チャネルビット長bの半分より小さくあるべきである。この場合、各マーク・チャネルビットは、１つのＭＡＭＭＯＳピークを生ずるだろうし、スペース・チャネルビットに対してピークは生成されない。従って、ｍ個の後に続くピークの検出は、Imマーク・ランレングスを示すのに対し、ｓ個の見つからないピーク（missing peaks）は、-Isスペース・ランレングスを示す。この状況は、図２における実線61, 75により示される。
【００３２】
例えば、コピーウィンドウサイズw2のような、より大きなコピーウィンドウサイズに対して、付加的なＭＡＭＭＯＳピーク76が、より大きな重複のためにマーク領域の近くのスペース領域に対して生成されるだろう。この状況は、図２における点線62, 76により示される。例えば、I1マークは、ここで、単一のピークの代わりに３つのＭＡＭＭＯＳピークを生じるだろう。ここで、-I1及び-I2スペースは、もはや検出されることができない。-I3スペースは、３つの見つからないピークの代わりにただ１つの見つからないピークを示すだろう（１つの見つからないピークは、１チャネルビット長の長さを持つＭＡＭＭＯＳピークを持たない領域として規定される）。
【００３３】
例えばコピーウィンドウサイズw3のような、2.5bと4.5bとの間のサイズw（2.5b<w<4.5b、bはチャネルビット長）を持つ、更に大きなコピーウィンドウサイズは、スペース及びマーク・ランレングスの検出において４つのピークの差を引き起こし、-I5スペースが、（１つの見つからないピークにより）検出されることができる最小スペース・ランレングスである。
【００３４】
図３は、所定のランレングス＃において検出される１つのマーク・ランレングスの間のピークの数PM及び１つのスペース・ランレングスの間の見つからないピークの数PSに対する異なるコピーウィンドウサイズwの効果を要約する表を示す。ウィンドウサイズwがチャネルビット長bの半分より小さい場合（即ちw<b/2）、前記読み出しデータの検出されたピークの数PM及び見つからないピークの数PSは、前記記録された情報のランレングス＃に対応する。例えば、I5のマーク・ランレングスは、５つのＭＡＭＭＯＳピークPMという結果となるだろうが、-I5のスペース・ランレングスは、５つの見つからないピークPSという結果となるだろう（再び、見つからないピークは、１チャネルビット長の長さを持つＭＡＭＭＯＳピークを持たない領域として規定される）。コピーウィンドウサイズwが、b/2と2.5bとの間の範囲にある場合（即ち、b/2<w<2.5b）、検出されるピークの数PMは、マーク・ランレングス＃プラス２に等しいのに対し、（前記スペース・ランレングスが３以上という条件で）見つからないピークの数PSは、スペース・ランレングス＃マイナス２に等しい。上の例を参照すると、I5のマーク・ランレングスは、ここで７つのＭＡＭＭＯＳピークPMを結果として生じるであろうが、-I5のスペース・ランレングスは、ここで３つの見つからないピークPSのみを結果として生じるだろう。このシーケンスが続けられ、コピーウィンドウサイズwが2.5bと4.5bとの間の範囲にある場合、検出されるピークの数PMは、マーク・ランレングス＃プラス４に等しいが、見つからないピークの数PSはスペース・ランレングス＃マイナス４に等しく、以下同様である。
【００３５】
図３に示されるような表における実際の値は、異なる読み取り及び／又は書き込みストラテジに対して異なってもよい。しかしながら、これらの実際の値は、当業者により図２を参照して上に開示された教示から導かれることができる。
【００３６】
図３に示されるような表を使用して、前記コピーウィンドウサイズの測定は、比較ユニット22において実行されることができ、比較結果に基づいて、前記磁界強度及び／又は前記放射線パワーは、制御ユニット25により生成される制御信号38, 39を使用して制御される。前記コピーウィンドウサイズは、放射線パワーの増加によって増加されるので、例えば書き込まれたデータにおけるランレングス違反の検出により、読み出し中の放射線パワー及び／又は磁界制御を実行することは可能である。この検出は、所定のマーク及びスペース・ランレングスを持つテスト領域を使用することにより行われることができる。しかしながら、大幅に少ないディスク容量がパワー較正目的のために残されていなければならないか、又は残しておかなくてもよいので、前記検出は、好ましくは、ユーザデータ上で行われる。更に、前記正しいコピーウィンドウサイズが決定されている場合、ピーク及び見つからないピークの以前のデータストリームは、図３の前記表の情報を使用して正しいランレングス・データに翻訳されることができる。この表の情報は、ルックアップテーブル23に記憶されてもよい。この態様において、環境の揺らぎ、例えば、周囲の温度、外部磁界（コイルからディスクの距離）、及びディスクの性質における更に緩やかな変化における揺らぎの効果は、進行中に補正されることができる。
【００３７】
前記ランレングス違反は、解析ユニット21により決定される。この決定は、例えば、パルスカウント機能による前記読み出し信号におけるピークの数の決定に基づく。代案として、この決定は、タイマー機能による前記読み出し信号におけるスペース期間の測定に基づく。
【００３８】
最小のマーク及び最小のスペースの長さがI1及び-I1であるのに対し、最大のマーク及び最大のスペースの長さがそれぞれI7及び-I7であることを意味する、(d, k)=(0, 6)ＲＬＬ変調を仮定する。解析ユニット21により観測されたデータ・シーケンスにおける最小のマーク・ランレングスが１より大きい場合、比較ユニット22は補正を決定する。例えば、観測されたデータ・シーケンスにおける最小のマーク・ランレングスが、３つの連続したピークPMである場合、比較ユニット22は、２つのピーク、従ってb/2と2.5bとの間のコピーウィンドウサイズwの補正を決定する。最大の可能なスペース・ランレングス（-I7）が、例えば、７つではなく３つの見つからないピークPSのみを示す場合、比較ユニット22は、４つのピーク及び2.5bと4.5bとの間のコピーウィンドウサイズwの補正を決定する。このような比較的大きなコピーウィンドウに対して、-I5以上のスペース・ランレングスのみが検出され、補正されることができることに注意する。これは、かなり厳しい放射線パワー制御の必要性を立証する。上述の両方の例において、前記放射線パワー及び／又は前記磁界強度は、前記比較結果に基づいて制御ユニット25において決定される対応する量だけ減少されるべきである。前記変調のランレングス特性は、解析ユニット21又はルックアップテーブル23に前もって設定されてもよい。前記変調のランレングス特性は、ディスク10に供給され、ディスク10から読み取られた情報、又は代案として前記ディスクプレイヤにおける入力機能により入力に供給された情報に基づいてもよい。
【００３９】
前記放射線パワーの更に良い制御のために、ルックアップテーブル及び／又は複数のアルゴリズムパラメータが、ディスク10上に所定の領域において前もって記録される。前記ルックアップテーブルは、所定のコピーウィンドウ対ディスク10のレーザパワー特性を記憶する。このルックアップテーブル、又は前記アルゴリズムパラメータは、前記ディスクから読み取られ、制御信号38, 39を生成するために制御ユニット25により使用される。比較的高い線速度（例えば、角速度一定動作又は異なる読み出し速度において）に対して、前記レーザパワーは、ディスク10の表面において適切な温度に到達するために、前記線速度と共に増加されるべきである。従って、前記テーブルは、変数としてディスク半径、又は代案としてディスク10の内半径と外半径との間の放射線パワー補間方式をも含むことができる。
【００４０】
本発明は、磁区拡大光磁気ディスク記憶システムに対するどんな読み取りシステムに対しても適用されることができる。解析ユニット21、比較ユニット22、ルックアップテーブル23、及び制御ユニット25の機能は、単一ユニットに組み合わされてもよく、前記単一ユニットは、ハードウェアユニット又は対応する制御プログラムにより制御されるプロセッサユニットであってもよい。制御信号38, 39は、ヘッドドライバ14のみ、光ピックアップユニット30のみ、又は両方に対して印加されてもよい。前記読み出しデータは、代案として光ピックアップユニット30から解析ユニット21に直接印加されてもよい。前記好ましい実施例は、従って、添付請求項の範囲内で変えてもよい。
【図面の簡単な説明】
【００４１】
【図１】好ましい実施例による光磁気ディスクプレイヤの図を示す。
【図２】異なる段階の重複を持つ読み出しストラテジの信号図を示す。
【図３】決定されたマーク又はスペース・ランレングスに基づいてコピーウィンドウの空間的な幅の範囲を決定する表を示す。
【国際公開パンフレット】
2005502976.tif 000003
2005502976.tif 000004
2005502976.tif 000005
2005502976.tif 000006
2005502976.tif 000007
2005502976.tif 000008
2005502976.tif 000009
2005502976.tif 000010
2005502976.tif 000011
2005502976.tif 000012
2005502976.tif 000013
2005502976.tif 000014
2005502976.tif 000015
2005502976.tif 000016
2005502976.tif 000017
2005502976.tif 000018
【国際公開パンフレット（コレクトバージョン）】
2005502976.tif 000019
【国際調査報告】
2005502976.tif 000020
2005502976.tif 000021
2005502976.tif 000022